(57)【要約】  一連のオブジェクトを製造する方法を開示する。当該方法では、製造媒体の層が提供される。前記媒体の層の部分が該層の少なくとも端部領域で結合されて支持部が形成される。前記層の端部領域の付近で前記支持部を把持しながら前記支持部が下げられる。前記支持部によって支持される媒体のさらなる層が提供される。前記媒体のさらなる層の部分が選択的に結合されて少なくともオブジェクト部が形成される。当該方法を行うための装置も開示する。
2017536479.tif 000002
【特許請求の範囲】
【請求項１】
一連のオブジェクトを製造する方法であって、当該方法は、
製造媒体の層を提供するステップと、
前記媒体の層の部分を、該層の少なくとも端部領域で結合して支持部を形成するステップと、
前記層の端部領域の付近で前記支持部を把持しながら前記支持部を下げるステップと、
前記支持部によって支持される媒体のさらなる層を提供するステップと、
前記媒体のさらなる層の部分を選択的に結合して少なくともオブジェクト部を形成するステップと、
を含む方法。
【請求項２】
前記支持部をさらに下げるステップと、
前記さらなる層の上に前記媒体の他のさらなる層を提供するステップと、
前記媒体の他のさらなる層の部分を結合してさらなる支持部を形成するステップと、
前記さらなる層の端部領域の付近で前記さらなる支持部を把持するステップと、
前記支持部をリリースするステップと、
をさらに含む、請求項１に記載の方法。
【請求項３】
前記層及び前記さらなる層を含む前記媒体の層は連続した柱状体を構成する、請求項１又は２に記載の方法。
【請求項４】
前記オブジェクト部が前記層内で追加の支持部によって周りが囲まれるように、前記さらなる層の部分を選択的に結合して前記支持部に連結される前記追加の支持部を形成するステップをさらに含む、請求項１乃至３のいずれか一項に記載の方法。
【請求項５】
前記支持部及び前記追加の支持部は箱を形成する、請求項４に記載の方法。
【請求項６】
前記オブジェクトと比べて結合強度が異なる部分で前記周囲構造が形成されるように、前記製造媒体の異なる部分が異なる結合強度で結合される、請求項１乃至５のいずれか一項に記載の方法。
【請求項７】
前記周囲構造の結合は前記オブジェクトの結合よりも弱く、前記周囲構造の結合は前記オブジェクトが形成された後に解消される、請求項６に記載の方法。
【請求項８】
前記周囲構造の結合は可溶性バインダを用いたものであり、前記周囲構造の結合は、該結合を解消するための適切な溶剤を適用することにより後で解消される、請求項７に記載の方法。
【請求項９】
前記適切な溶剤は、前記周囲構造に前記適切な溶剤を噴霧することより又は前記周囲構造を前記適切な溶剤に浸漬することにより適用される、請求項８に記載の方法。
【請求項１０】
前記周囲構造から前記オブジェクトをリリースするために前記周囲構造の結合が解消される、請求項７乃至９のいずれか一項に記載の方法。
【請求項１１】
前記支持構造の作成に用いられる前記製造媒体は、その結合が解消された後にリサイクルされる、請求項７乃至１０のいずれか一項に記載の方法。
【請求項１２】
前記可溶性バインダは可溶性ポリマーである、請求項１乃至１１のいずれか一項に記載の方法。
【請求項１３】
前記製造媒体は金属粉末である、請求項７乃至１２のいずれか一項に記載の方法。
【請求項１４】
一連のオブジェクトを製造するための装置であって、当該装置は、
構築領域と、
前記構築領域内に製造媒体の層を配置するように構成された分注ユニットであって、該構築領域内で前記層の部分が選択的に結合される、分注ユニットと、
前記構築領域の下に配置されて、前記層の下にある下側の層を該下側の層の端部の付近で支持するとともに、該下側の層を前記構築領域から離れるように下方に移動させるように構成された支持ユニットと、
を含み、
当該装置は、前記構築領域内で一連の層の部分を選択的に結合して周囲構造によって周りが囲まれるオブジェクトを形成するとともに、前記周囲構造を少なくとも形成後に前記支持ユニットで支持するように構成されている、装置。
【請求項１５】
前記支持ユニットは一対の対向する把持部を含み、該一対の把持部は相互に対向する方向に前記下側の層に対して把持力を適用するように構成されている、請求項１４に記載の装置。
【請求項１６】
各把持部は、前記周囲壁と平行に配置されるとともに前記下側の層の端部で前記下側の層を把持するためのクランプ面を有し、該クランプ面は前記下側の層を下方に移動させるために前記一対の把持部のうちの他方の把持部と共に前記構築領域から離れるように移動可能である、請求項１５に記載の装置。
【請求項１７】
前記装置はさらなる一対の対向する把持部を含み、該さらなる一対の対向する把持部は前記一対の把持部の相互に対向する方向に対して傾斜した相互に対向する方向に前記下側の層に対して把持力を適用するように構成されている、請求項１５又は１６に記載の装置。
【請求項１８】
各把持部は、前記周囲壁と平行に配置されるとともに、前記下側の層を下方に且つ前記構築領域から離れるように漸進的に移動させながら前記下側の層を支持するための把持面を有するエンドレスベルトを含む、請求項１５に記載の装置。
【請求項１９】
前記支持ユニットが前記下側の層をリリースした後で前記支持構造を受け取るように構成されたレシーバーをさらに含む、請求項１４乃至１８のいずれか一項に記載の装置。
【請求項２０】
前記装置は、前記オブジェクトと比べて結合強度が異なる領域で前記周囲構造が形成されるように、前記層の異なる部分を異なる結合強度で結合するように適合された選択的結合ユニットをさらに含む、請求項１４乃至１９のいずれか一項に記載の装置。
【請求項２１】
前記装置は、前記オブジェクトと比べて結合強度が異なる部分で前記周囲構造が形成されるように、前記製造媒体の異なる部分を異なる結合強度で結合するように適合されている、請求項１４乃至２０のいずれか一項に記載の装置。
【請求項２２】
前記周囲構造の結合は前記オブジェクトの結合よりも弱く、前記周囲構造の結合は前記オブジェクトの形成後に解消される、請求項２１に記載の装置。
【請求項２３】
前記周囲構造の結合は可溶性バインダを用いたものであり、前記装置は、前記周囲構造の結合を解消するための適切な溶剤を適用することにより該結合を後で解消するように構成されている、請求項２２に記載の装置。
【請求項２４】
前記装置は、前記周囲構造に前記適切な溶剤を噴霧することより又は前記周囲構造を前記適切な溶剤に浸漬することにより前記適切な溶剤を適用するように適合されている、請求項２３に記載の装置。
【請求項２５】
前記周囲構造から前記オブジェクトをリリースするために前記周囲構造の結合が解消される、請求項２２乃至２４のいずれか一項に記載の装置。
【請求項２６】
前記装置は、前記支持構造の作成に用いられる前記製造媒体の結合が解消された後で前記製造媒体をリサイクルするように適合されている、請求項２２乃至２５のいずれか一項に記載の装置。
【請求項２７】
前記可溶性バインダは可溶性ポリマーである、請求項２２乃至２６のいずれか一項に記載の装置。
【請求項２８】
前記製造媒体は金属粉末である、請求項１４乃至２７のいずれか一項に記載の装置。
【請求項２９】
一連のオブジェクトを製造する方法であって、当該方法は、
製造媒体の柱状体の連続層の部分を選択的に結合して、一連のオブジェクトの周りを囲む一連の支持構造を形成するステップと、
前記製造媒体の柱状体を下方に移動させながら、前記柱状体の上部に製造媒体の層をさらに加えるとともに前記柱状体の底部から支持構造を取り出すステップと、
を含み、
前記製造媒体の柱状体は、前記柱状体の底部に位置する１つの支持構造により支持され、該支持構造は該支持構造の側部の付近で外部的に支持されている、方法。
【請求項３０】
一連のオブジェクトを製造する方法であって、当該方法は、
構築領域内に製造媒体の一連の層を配置するステップであって、該一連の層は、該一連の層の少なくとも端部領域に配置される第１の支持構造によって周りが囲まれる第１のオブジェクトを形成するために選択的に結合された部分を有する、ステップと、
前記第１の支持構造を形成する層の端部で前記第１の支持構造を外部的に支持しながら前記第１の支持構造を前記構築領域から離れるように下方に移動させるステップと、
製造媒体の一連の層を配置するステップであって、該一連の層は、該一連の層の端部領域に配置される第２の支持構造によって周りが囲まれる第２のオブジェクトを形成するために選択的に結合された部分を有する、ステップと、
前記第２の支持構造を形成する層の端部で前記第２の支持構造を外部的に支持しながら前記第１の支持構造を外部的に支持するステップと、
前記第２の支持構造が外部的に支持されたときに前記第１の支持構造をリリースするステップと、
前記構築領域の下の取り出し位置から前記第１の支持構造がリリースされた後に、前記オブジェクトを含む前記第１の支持構造を取り出すステップと、
を含む方法。
【請求項３１】
一連のオブジェクトを製造するための装置であって、当該装置は、
選択的に結合された部分を有する製造媒体の一連の層を構築領域内に配置して、該一連の層の少なくとも端部領域に配置される支持構造により周りを囲まれるオブジェクトを形成するように構成された材料配置ユニットと、
前記支持構造を形成する層の端部で前記支持構造を支持しながら、前記第１の支持構造を前記構築領域の下に位置する取り出し領域に向けて前記構築領域から離れるように下方に移動させるように構成された支持ユニットと、
を含み、
前記支持ユニットは、垂直に配置されたオブジェクトをそれぞれが含む少なくとも２つの連続する支持構造を、下側の支持構造がリリースされたときに上側の支持構造が支持されたままであるとともに該下側の支持構造を置き換えるために下方に移動できるよう同時に支持するように構成されている、装置。
【発明の詳細な説明】
【技術分野】
【０００１】
本発明は、３次元オブジェクトを製造するための方法及び装置に関し、具体的には、連続的な製造プロセスで一連の３次元オブジェクトを製造可能な方法及び装置に関する。
【背景技術】
【０００２】
３次元印刷は、各層の部分が結合された連続する材料層が構築領域内に配置されて、連続する層の結合部分によって所望のオブジェクトが形成される付加製造技術の一種である。配置の時点では、材料は液体媒体、粒状の固体媒体又は別の流動可能な媒体であり得る。
【０００３】
従来、配置ユニットから材料層が配置されると、第１の材料層が配置される支持プレートは、さらなる材料層を構築領域に加えることができるように構築領域から離れて下方に移動させられる。そのため、配置された層は、上部に構築領域を有するとともに底部に支持プレートを有するウエル内に含まれる。概して支持プレートの寸法と、支持プレートが構築領域から離れて下方に移動され得る最大距離とに対応するウエルの寸法によって、製造のための利用可能な容量が制限される。
【発明の概要】
【発明が解決しようとする課題】
【０００４】
特に、同じ製造稼働（manufacturing  run）で大量のオブジェクトを製造することを望む場合、ウエルの容量によって製造できるオブジェクトの数が制限されてしまう。ウエルに同時に収容できる数よりも多い数のオブジェクトを製造することが望ましい場合、第１のバッチのオブジェクトを第１のジョブで製造してから該バッチのオブジェクトをウエルから取り出し、支持プレートを構築領域の直ぐ下のその元の位置に戻し、第２のバッチ又はさらなるバッチのオブジェクトを第２のジョブ又はさらなるジョブで製造しなければならない。とりわけ、各オブジェクトがウエルの最大寸法と同等の最大寸法を有する場合、製造された各オブジェクトには別々の製造ジョブが必要になることがあり、各オブジェクトをさらなるオブジェクトが製造される前にウエルから取り出さなければならない。このようなやり方で大量のオブジェクトを製造することは労働集約的であるとともに時間がかかる。
【０００５】
したがって、大量のオブジェクトの効率的に形成できる付加製造方法に対するニーズかある。
【課題を解決するための手段】
【０００６】
本発明の第１の態様によれば、一連のオブジェクトを製造する方法が提供される。当該方法は、製造媒体（manufacturing  medium）の層を提供するステップを含む。当該方法は、前記媒体の層の部分を、該層の少なくとも端部領域で結合して支持部を形成するステップを含む。当該方法は、前記層の端部領域の付近で（by）前記支持部を把持しながら前記支持部を下げるステップを含む。当該方法は、前記支持部によって支持される媒体のさらなる層を提供するステップを含む。
当該方法は、前記媒体のさらなる層の部分を選択的に結合して少なくともオブジェクト部を形成するステップを含む。
【０００７】
一実施では、前記方法は、前記支持部をさらに下げるステップをさらに含む。本実施では、前記方法は前記さらなる層の上に前記媒体の他のさらなる層を提供するステップを含む。本実施では、前記方法は、前記媒体の他のさらなる層の部分を結合してさらなる支持部を形成するステップを含む。本実施では、前記方法は前記さらなる層の端部領域の付近で前記さらなる支持部を把持するステップを含む。本実施では、前記方法は前記支持部をリリースするステップを含む。
【０００８】
一実施では、前記媒体のさらなる層は前記支持部の上の位置から提供され、前記支持部は前記さらなる支持部の下の位置からリリースされる。
【０００９】
一実施では、前記層及び前記さらなる層を含む前記媒体の層は連続した柱状体（column）を構成する。
【００１０】
一実施では、前記方法は前記オブジェクト部が前記層内で追加の支持部によって周りが囲まれるように、前記さらなる層の部分を選択的に結合して前記支持部に連結される前記追加の支持部を形成するステップを含む。
【００１１】
一実施では、前記支持部及び前記追加の支持部は箱を形成する。
【００１２】
一実施では、前記箱は開口部を含む。
【００１３】
本発明の第２の態様によれば、一連のオブジェクトを製造するための装置が提供される。当該装置は構築領域（build  region）を含む。当該装置は、前記構築領域内に製造媒体の層を配置するように構成された分注ユニットであって、該構築領域内で前記層の部分が選択的に結合される、分注ユニットを含む。当該装置は、前記構築領域の下に配置されて、前記層の下にある下側の層（lower  layer）を該下側の層の端部の付近で支持するとともに、該下側の層を前記構築領域から離れるように下方に移動させるように構成された支持ユニットを含む。当該装置は、前記構築領域内で一連の層（successive  layers）の部分を選択的に結合して周囲構造によって周りが囲まれるオブジェクトを形成するとともに、前記周囲構造を少なくとも形成後に前記支持ユニットで支持するように構成されている。
【００１４】
一実施形態では、前記支持ユニットは一対の対向する把持部を含み、該一対の把持部は相互に対向する方向に前記下側の層に対して把持力を適用するように構成されている。
【００１５】
一実施形態では、各把持部は、前記周囲壁と平行に配置されるとともに前記下側の層の端部で前記下側の層を把持するためのクランプ面を有し、該クランプ面は前記下側の層を下方に移動させるために前記一対の把持部のうちの他方の把持部と共に前記構築領域から離れるように移動可能である。
【００１６】
一実施形態では、前記装置はさらなる一対の対向する把持部を含み、該さらなる一対の対向する把持部は前記一対の把持部の相互に対向する方向に対して傾斜した相互に対向する方向に前記下側の層に対して把持力を適用するように構成されている。
【００１７】
一実施形態では、各把持部は、前記周囲壁と平行に配置されるとともに、前記下側の層を下方に且つ前記構築領域から離れるように漸進的に移動させながら前記下側の層を支持するための把持面を有するエンドレスベルトを含む。
【００１８】
一実施形態では、前記装置は、前記支持ユニットが前記下側の層をリリースした後で前記支持構造を受け取るように構成されたレシーバーをさらに含む。
【００１９】
一実施形態では、前記装置は、前記オブジェクトと比べて結合強度が異なる領域で前記周囲構造が形成されるように、前記層の異なる部分を異なる結合強度で結合するように適合された選択的結合ユニット（selective  binding  unit）をさらに含む。
【００２０】
本発明の第３の態様によれば、一連のオブジェクトを製造する方法が提供される。当該方法は、製造媒体の柱状体の連続層（sequential  layers）の部分を選択的に結合して、一連のオブジェクトの周りを囲む一連の支持構造を形成するステップを含む。当該方法は、前記製造媒体の柱状体を下方に移動させながら、前記柱状体の上部に製造媒体の層をさらに加えるとともに前記柱状体の底部から支持構造を取り出すステップを含み、前記製造媒体の柱状体は、前記柱状体の底部に位置する１つの支持構造により支持され、該支持構造自体は該支持構造の側部の付近で外部的に支持されている。
【００２１】
本発明の第４の態様によれば、一連のオブジェクトを製造する方法が提供される。当該方法は、構築領域内に製造媒体の一連の層を配置するステップであって、該一連の層は、該一連の層の少なくとも端部領域に配置される第１の支持構造によって周りが囲まれる第１のオブジェクトを形成するために選択的に結合された部分を有する、ステップを含む。当該方法は、前記第１の支持構造を形成する層の端部で前記第１の支持構造を外部的に支持しながら前記第１の支持構造を前記構築領域から離れるように下方に移動させるステップを含む。当該方法は、製造媒体の一連の層を配置するステップであって、該一連の層は、該一連の層の端部領域に配置される第２の支持構造によって周りが囲まれる第２のオブジェクトを形成するために選択的に結合された部分を有する、ステップを含む。当該方法は、前記第２の支持構造を形成する層の端部で前記第２の支持構造を外部的に支持しながら前記第１の支持構造を外部的に支持するステップを含む。当該方法は、前記第２の支持構造が外部的に支持されたときに前記第１の支持構造をリリースするステップを含む。当該方法は、前記構築領域の下の取り出し位置から前記第１の支持構造がリリースされた後に、前記オブジェクトを含む前記第１の支持構造を取り出すステップを含む。
【００２２】
本発明の第５の態様によれば、一連のオブジェクトを製造するための装置が提供される。当該装置は、選択的に結合された部分を有する媒体の一連の層を構築領域内に配置して、該一連の層の少なくとも端部領域に配置される支持構造により周りを囲まれるオブジェクトを形成するように構成された材料配置ユニットを含む。当該装置は、前記支持構造を形成する層の端部で前記支持構造を支持しながら、前記第１の支持構造を前記構築領域の下に位置する取り出し領域に向けて前記構築領域から離れるように下方に移動させるように構成された支持ユニットを含む。当該装置では、前記支持ユニットは、垂直に配置されたオブジェクトをそれぞれが含む少なくとも２つの連続する支持構造を、下側の支持構造がリリースされたときに上側の支持構造が支持されたままであるとともに該下側の支持構造を置き換えるために下方に移動できるよう同時に支持するように構成されている。
【００２３】
本発明の実施形態又は実施では、前記オブジェクトと比べて結合強度が異なる部分で前記周囲構造が形成され得るように、前記製造媒体の異なる部分が異なる結合強度で結合され得る。
【００２４】
本発明の実施形態又は実施では、前記周囲構造の結合は前記オブジェクトの結合よりも弱くてもよく、前記周囲構造の結合は前記オブジェクトが形成された後に解消され得る。
【００２５】
本発明の実施形態又は実施では、前記周囲構造の結合は可溶性バインダ（soluble  binder）を用いたものであってもよく、前記周囲構造の結合は、該結合を解消するための適切な溶剤を適用することにより後で解消され得る。
【００２６】
本発明の実施形態又は実施では、前記適切な溶剤は、前記周囲構造に前記適切な溶剤を噴霧することより又は前記周囲構造を前記適切な溶剤に浸漬することにより適用され得る。
【００２７】
本発明の実施形態又は実施では、前記周囲構造から前記オブジェクトをリリースするために前記周囲構造の結合が解消され得る。
【００２８】
本発明の実施形態又は実施では、前記支持構造の作成に用いられる前記製造媒体は、その結合が解消された後にリサイクルされ得る。
【００２９】
本発明の実施形態又は実施では、前記可溶性バインダは可溶性ポリマーであり得る。
【００３０】
本発明の実施形態又は実施では、前記製造媒体は金属粉末であり得る。
【図面の簡単な説明】
【００３１】
本開示をより理解できるようにするとともに、本開示がどのように実行に移されるかを示すために、一例として添付の図面を参照する。図面の内容は以下のように要約される。
【図１】図１は、第１の実施形態に係る製造装置を示す。
【図２】図２は、図１の実施形態の代替的な図を示す。
【図３】図３ａ〜図３ｉは、製造方法の実施である図１の装置の一連の動作を示す。
【図４】図４ａ〜図４ｃは、オブジェクトが装置から取り出される図１の装置の一連の動作を示す。
【図５】図５は、ベルトを利用する代替的な送り機構の図である。
【図６】図６ａ及び図６ｂは、ネジを利用する代替的な送り機構の図である。
【図７】図７ａ〜図７ｄは、歯付きの駆動ローラーを利用する代替的な送り機構の図である。
【図８】図８ａ〜図８ｃは、弾性の又は型押しされた駆動ローラーを利用する代替的な送り機構の図である。
【図９】図９ａ〜図９ｆは、送り機構内の材料の柱状体が傾斜した代替的な送り機構の図である。
【図１０】図１０ａ〜図１０ｃは、１つの製造システムに関連して複数の構築領域及び送り機構が設けられる代替的な実施形態の図である。
【図１１】図１１ａ〜図１１ｅは、支持構造の様々な構成の図である。
【図１２】図１２は、図８ｃの送り機構に関連して図１１ｅの支持構造をどのように提設けることができるかを示す。
【発明を実施するための形態】
【００３２】
本開示は、連続的に配置された一連の層からオブジェクトが形成される付加製造技術に関する。連続的に配置された一連の層の部分は、各層内及び下側の層の部分の双方と結合されている。そのようなプロセスは、例えばＵＶ光を当てることにより流体ポリマーの層を固化すること、金属粉末等の粒状材料の層を、例えばレーザーにより選択的に焼結すること、バインダの液滴を適用することにより粒状材料の一連の層を選択的に結合すること、例えば接着剤の液滴を適用してセラミック粉末を結合すること又は例えばホットメルトポリマー又は光硬化性ポリマーを用い、一方で強い構成材料を、他方で弱い支持材料を層状に選択的に配置することによって実現できる。
【００３３】
走査インクジェットヘッドから粉末床にバインダが選択的に噴射される粉末床インクジェットヘッド３Ｄ印刷（powder  bed  and  ink  jet  head  3D printing）との関連で開示する例示の実施形態を以下で説明する。本開示は、分注ユニットにより層状に配置され、その後に選択的結合ユニットによって選択的に結合される粒状の製造材料を伴う構成に有利に適用される。しかしながら、開示する技術は、プリントヘッド及び配置される媒体を適切に選択することで他の付加製造の方法にも適用可能であるのが分かり得る。
【００３４】
図１は、本開示の第１の実施形態を示す。図１の実施形態では、ウエル４ａが形成される上面を有するテーブル４が設けられる。該上面は平面状であり得る。図１には、テーブル４の上面に亘って第１の方向Ｘに移動するように配置された粉末ディスペンサ１も示す。粉末ディスペンサ１は少なくとも１つの分注オリフィスを有する。粉末ディスペンサ１がウエル４ａを横断する間に、分注オリフィスから構築領域を定義するウエル４ａ内に粉末が層として均一に分注され得る。分注オリフィスは、第１の方向に垂直な第２の方向Ｙに十分な広さを有するため、ウエル４ａの幅に亘って第２の方向に均一な粉末の層をウエル４ａ内に分注できる。あるいは、分注オリフィスの幅は小さく、ウエル内に粉末の層を均一に分注できるように粉末ディスペンサ１の第２の方向における長さを走査し得る。
【００３５】
図１には、選択的結合ユニットとしての役割を果たすプリントヘッド２も示す。本実施形態では、プリントヘッド２は粉末ディスペンサ１の第１の方向の前端に配置されるとともに、粉末ディスペンサ１の前側に亘って第２の方向に移動するように配置されたインクジェットユニットを含む。あるいは、プリントヘッド２は、ウエル４ａの幅に広がるとともに第２の方向に固定された１つのインクジェットヘッドを含み得る。図１の実施形態では、プリントヘッドは粉末ディスペンサ１の前端に固定されているが、代替的に、プリントヘッドは粉末ディスペンサ１から独立してウエル４ａに亘って第１の方向に移動できるように設けられてもよい。
【００３６】
ウエル４ａは、その上側で粉末ディスペンサ及びプリントヘッドが配置されて移動するテーブル４ａの上面が開口しているだけでなく、テーブル４の下面が開口するように広がっており、それによりテーブル４の上面と下面とが連結している。
【００３７】
ウエル４ａの下には、支持ユニットとしての役割を果たす送り機構５が設けられている。送り機構５は２対の把持部５ａ、５ｃ及び５ｂ、５ｄを含む。各把持部対は、ウエル４ａの形状及び寸法に対応するがウエル４ａの下に位置する空間に亘って互いに対向するように配置されている。各把持部対は互いに対向する方向に内向きの圧力を加えるように構成された把持面を有する。そのため、把持部は、ウエル４ａと同等の形状を有するとともにウエル４ａの直ぐ下に位置するオブジェクトの端部に把持力を加えることができる。
【００３８】
図１の実施形態では、複数の把持部対がウエル４ａの対向する角部に対応する場所に位置しており、ウエル４ａの対応する角部に形状が対応する把持面を有する。図１の実施形態では、把持部５ａ、５ｂからなる第１の対及び把持部５ｃ、５ｄからなる第２の対は、互いに対向する同じ角部対に対応するように配置されている。しかしながら、代替的な構成では、第１の把持部対及び第２の把持部対のそれぞれがウエルに亘って互いに対向する方向が傾斜するように、より具体的には直角に傾斜するように、第１の把持部対が第１の角部対に関連付けられ、第２の把持部対が第２の対向する角部対に関連付けられる。第１の把持部対及び第２の把持部対のそれぞれは独立して、ウエルの下の空間から内方に駆動されるとともに外方に後退されることにより、それぞれ把持力を適用及び解除し、第１の把持部対及び第２の把持部対は、内方に駆動された状態又は外方に後退された状態のいずれかでウエル４ａに対して上下に独立して移動され得る。
【００３９】
送り機構５の下には、レシーバーユニットとしての機能を果たす、さらなる対の取り出し把持部６ａ、６ｂを有する取り出し機構（removal  mechanism）が位置している。把持部６ａ、６ｂも、ウエル４ａの対向する角部にも対応するとともに、把持部の間に位置するオブジェクトに対してそれぞれ把持力を加える／解除するために内方に挿入される／外方に後退され得る把持面を有する。
【００４０】
最後に、取り出し機構６の下にはコンベア７が位置する。コンベア７はその上に置かれる物品を搬送するための搬送ユニットとしての機能を果たす。
【００４１】
図１は、製造が始まる前の構成にある装置を示す。ウエル４ａ内には開始プレート（start  plate）３が位置している。開始プレート３は、粉末ディスペンサ１から分注される第１の粉末層のための初期支持構造としての機能を果たす。テーブル４を透明な状態で示す図２からより明確に分かるように、製造の開始時の時点では開始プレート３は、その表面がテーブル４の上面と同一平面上にあるように送り機構の把持部５ａ、５ｂからなる少なくとも第１の把持部対によって把持されている。実際に、図１及び図２では、第１の把持部対及び第２の把持部対の双方が開始プレートを把持するとともに支持している。
【００４２】
図３ａに示す位置から、開始プレート３の端部に把持圧力を加える送り機構５は、把持された開始プレート３をウエル４ａに対して下方に移動させるために把持部５ａ、５ｂからなる第１の把持部対及び把持部５ｃ、５ｄからなる第２の把持部対のそれぞれを下方に移動させることができる。これにより、粉末ディスペンサからウエル４ａの少なくとも一部内の開始プレート３の上に第１の粉末層を分注することができるようにウエル４ａに空間を作ることができる。その状態を図３ｂに示す。送り機構５は製造プロセスの１つの断面層を作れるのに十分な深さを提供するためにプレートをかなり僅かな距離下方に移動させるだけでよい。
【００４３】
図３ｂの状態から、図３ｃに示すように、粉末ディスペンサはウエル４ａに亘って第１の方向に移動して、ウエル４ａ内の開始プレート３の上面に均一な粉末層を分注する。テーブル４の上面に粉末層が充填されると、開始プレート３の上面に位置する薄い粉末層の上面を平滑且つ平らにするためにテーブル４の上面に亘ってスクレーパー又はローラー等の平滑化ユニット（図示せず）が移動し得る。平滑化ユニットはディスペンサ１との一体部分であってもよいし別に設けられたものでもよい。
【００４４】
粉末が分注された後、装置の状態は図３ｄに示すものとなる。
【００４５】
図３ｄに示す位置から、粉末ディスペンサが後退されて図３ｅに示す段階に到達する。この状態から、プリントヘッド２はウエル４ａに亘って移動して粉末層上の選択的位置にバインダを噴射することにより粉末の部分を選択的に結合する。代替的な構成では、プリントヘッド２は第１の方向における粉末ディスペンサ１の後ろに固定配置でき、粉末の分注及びバインダの噴射作業を、統合された粉末ディスペンサ及びプリントヘッドの第１の方向における一回のパスで行うことができる。
【００４６】
前進パス又は後退パスのいずれか若しくはその双方の間に又は後で、バインダが硬化性の場合は、紫外線硬化性バインダの場合には紫外光源等の硬化ユニットがバインダを硬化するために構築領域の上を通過し得る。バインダが経時的に硬化する場合は、別個の硬化ユニットは必要ない場合がある。硬化ユニットは構築領域の上を第１の方向に独立して移動可能であってもよいし、ディスペンサ１又はプリントヘッド２の端に固定されていてもよい。
【００４７】
本実施形態では、プリントヘッドは、以下でさらに説明するように支持構造を形成するためにウエル４ａの少なくとも端部領域で粉末を選択的に結合するように制御される。
【００４８】
図３ｅの位置から、粉末ディスペンサ１及びプリントヘッド２は図３ａに示す位置に戻る。そして、送り機構５は、図３ｂ〜図３ｄに連続的に示すように、ウエル内の開始プレート３の上面に現時点で存在する、分注されて少なくとも部分的に結合された層の上にさらなる層を分注することができるように開始プレート３をさらなる増分距離（incremental  distance）下方に移動させる。
【００４９】
なお、バインダの作用によって前の層の少なくとも端部領域が結合されているため、開始プレート３がこの時点でテーブル４の下面の下に下げられてウエル４ａから完全に出ているとしても、プレート３の上面上の粉末層の固化した端部領域は粉末層を拘束するとともにその上に配置される１つ以上の連続する粉末層を支持する。したがって、図３ａ〜図３ｅに示す印刷装置の動作及び開始プレート３を下げることは、開始プレート３に形成されたウエル４ａが支持構造の深さ全体に延在する必要なく、開始プレート３の上面に結合されていない粉末を実質的に含む箱様の支持構造が作られるまで連続的に繰り返され得る。
【００５０】
この状態で、図３ｆに示すように、把持部５ｃ、５ｄからなる第２の把持部対は図３ｆに示すように解除されるのに対して、把持部５ａ、５ｂからなる第１の把持部対は開始プレート３と係合したままである。この状態を図３ｇに示す。そして、第２の把持部対は図３ｈに示すように構築領域４ａの方へと上方に動かされ、ウエル４ａを通る一連の粉末層の固化された端部領域によって少なくとも部分的に形成された支持構造を把持するために内方に適用され得る。この状態を図３ｉに示す。このプロセスは箱様の支持構造の任意の高さのために続けられ得ることが分かる。支持構造が全体として構築領域から下げられるときに、第１及び第２の把持部対が支持構造の壁部の連続する高い位置で支持構造の把持を交互に行う。
【００５１】
このプロセスは、支持構造を製造する間に、一連の層の支持構造を形成する部分以外の部分を選択的に固化することで所望のオブジェクトも製造するようにプリントヘッドが制御され得るという利点がある。製造されるオブジェクトの最大寸法は、上述したように、結合の強さ及びウエルの下の利用可能な深さによってのみ制限される実質的に任意の高さを有し得る支持構造の内部空間によってのみ制限される。
【００５２】
このプロセスを用いて、連続的な製造プロセスで同じであるか又は異なる一連のオブジェクトを続けて製造することができる。連続的な製造プロセスでは、一連の材料層が構築領域に加えられ、それぞれが１つ以上の所望のオブジェクトを含む一連の支持構造が完成後に送り機構５の下から取り出される。これは、図３ａを再度検討することで理解できる。しかしながら、ウエル内に開始プレート３が位置する図３ａで説明した前の状況に代えて、ウエルは、ウエルの壁部により抑制されるとともに、前に作られた箱様の支持構造の上面に支持される１つ以上の実質的に結合されていない粉末層を含んでいると考えるべきである。箱様の支持構造はオブジェクトを含み、その上部は開始プレート３の機能を果たし得る。支持構造の上部は閉じていてもよいし開いていてもよい。送り機構５によって支持構造が連続的に下げられると、上述したようにウエル４ａ内に配置される一連の層からオブジェクトを含み得る新たな支持構造が製造される。完成した下側の支持構造は、未完の上側の支持構造が形成されるまで、送り機構５の把持部５ａ、５ｂからなる少なくとも１つの把持部対によって保持される。その時点では、把持部５ｃ、5ｄからなる他方の把持部対は少なくとも上側の支持構造を支持するために適用され得る。完成した下側の支持構造及び未完の上部の支持構造を含む粉末の柱状体の全体は、未完の上側の支持構造が製造されるのに伴って、上側の支持構造体及び下側の支持構造が含み得る任意の各オブジェクトと共にウエル４ａから下方に移動させられる。送り機構５の少なくとも１つの把持部対によって未完の上側の支持構造が支持されると、完成した下側の支持構造を支持する把持部は、完成した下側の支持構造を送り機構５からリリースするために外方に取り外され得る。
【００５３】
完成した下側の支持構造と未完の上側の支持構造との間には少なくとも１つの結合されていない粉末層又は少なくとも１つの部分的に結合されていない層が存在するため、下側の支持構造及び上側の支持構造と共に、結合されていない粉末及びその中に含まれるオブジェクトで構成される、結合及び非結合の粉末の一連の柱状体は結合されていない粉末層で分離される。そのため、下側の完成した支持構造は送り機構から離れる方に落とされ得る。図１の実施形態では、取り出し機構６は第２の把持部対を含む。第２の把持部対は、最も下側の完成した支持構造を制御された形で粉末の柱状体の残りの部分から分離するために、粉末の柱状体内にある下側の支持構造に適用される。下側の完成した支持構造の上に配置される上側の未完の支持構造は既に把持部５ａ、５ｂからなる第１の把持部対によって保持されているため、下側の完成した支持構造が取り外されてもさらなる粉末層がウエル４ａ内に配置されて製造プロセスを続けることができる。
【００５４】
図１の実施形態では、柱状体内の最も下側の支持構造を把持するとともにそれを粉末の柱状体から分離した取り出し機構６は、支持構造と該支持構造が含み得るオブジェクトとが、例えば焼成ステップ、焼結ステップ、焼き付けステップ、硬化ステップ、検査ステップ、塗装ステップ、別のさらなる製造ステップ又は梱包ステップのために装置から離れるよう動かされるように支持構造をコンベア７上に配置するように配置及び制御される。
【００５５】
そのような動作を図４ａ〜図４ｃに連続的に示す。図４ａでは、取り出し機構６の把持部６ａ、６ｂが支持構造の壁部に適用されている。そして、把持部６ａ、６ｂは、支持構造とそれが含むオブジェクトとを柱状体から分離するために、支持構造を材料の柱状体から離れるように下方に移動させる。図４ｂでは、取り出し機構によって支持構造がコンベア７の上に設置され、把持部６ａ、６ｂを後退させることでリリースされる。図４ｃでは、取り出し機構は、次の支持構造を受け取るために図４ａに示す位置に対応する位置に配置されている。コンベア７の上に配置された支持構造は次のステップのために矢印の方向に運ばれる。
【００５６】
粉末及びバインダの好適な供給が利用可能であるとすれば、上述のプロセスは無制限に行うことができる。開始プレート３は、最初に配置される結合されていない粉末のために安定したベースを提供するために製造プロセスの開始時にだけ必要となる。開始プレート３が送り機構からリリースされた後、製造されるオブジェクトをそれぞれが含む一連の支持構造の連続的な製造を続けることができる。この場合、粉末の柱状体は、送り機構５内の最も下で支持される、製造される少なくとも支持構造によって常に支持される。したがって、粉末及びバインダがウエル４ａに加えられて、支持構造と、支持構造内に含まれる任意の所望のオブジェクトが形成され、完成した支持構造と共にそれらが含み得るオブジェクトとが送り機構５の底部で取り出し機構６によって取り出されてコンベア７によって遠くに搬送されるという、完全に連続した製造プロセスが可能になる。
【００５７】
支持構造が粉末柱状体を支持できるとともに支持構造の側部から又はベースを通じて粉末が流れ出るのを抑制できれば、支持構造の構成は特に重要でない。多くの粉末は押し固められると開口面を通って流れ出ることはない。したがって、支持構造の壁部及びベースは固くなくてもよく、開口しているか又はメッシュとして形成することもできる。これは、支持構造内に含まれる製造されたオブジェクトを容易にリリースするのにとりわけ有用である。支持構造が送り機構からリリースされて、例えば取り出し機構６の把持部６ａ、６ｂによって支持されると、粉末を妨げる（disturb）とともに粉末が箱体の開口部を通って流れ出るように箱体が優しく振動される。使用済みの粉末と任意で支持構造自体とを任意で洗浄し粉末ディスペンサに戻してリサイクルするためにサイロ内に回収することができる。
【００５８】
支持構造の側部を把持及びリリースするために挿入及び後退される２つの把持部対を有する送り機構を有するものとして上記の実施形態を説明してきたが、代替的な構成も可能である。そのような構成の１つを図５に示す。係る構成では、図１の第１の把持部対及び第２の把持部対は第１のベルト５ａ及び第２のベルト５ｂに置換されている。ベルト５ａ及び５ｂはエンドレスであるとともに弾性を有し、支持構造がベルト５ａ及び５ｂの下端でそれらをリリースするためにウエル４ａ内でそれらの製造から降りてくるときに支持構造の側部を把持するためにウエル４ａの下の空間に亘って互いに離間して配置される外向きの把持面を有する。したがって、支持構造は、降りてくる間は常にそれらの端部で支持されている。図５の実施形態では、取り出し機構６を省略してもよい。この場合、最も下側の支持構造が単純にリリースされてコンベア７の上に落とされる。コンベア７は支持構造、内部に含まれる結合されていない粉末及び支持構造内の任意の製造されたオブジェクトを矢印で示す方向に移動させる。
【００５９】
他の形体の把持部も可能である。例えば、支持構造の互い違いの角部対に作用する複数の把持部対を設けてもよい。
【００６０】
一部の構成では、支持構造の端部と係合する要素、例えばベルトの表面は柱状体の一方側のみに設けられ得る。柱状体の反対側の面は滑らかな摺動面のみに対向し得る。
【００６１】
支持構造をより簡単に把持することができるように、支持構造の外面に把持パターンを有するように製造してもよく、把持面は、支持構造の把持パターンに対応する把持パターンを有するように形成され得る。
【００６２】
別の変形例では、支持構造に対して必要な支持及び移動を提供するために、ワーム駆動の形で支持構造の端部と係合するように配置される１つ以上の回転スクリューを設けることができる。そのようなスクリューは、対応して形成される支持構造の部分を把持するために構築領域内に突出し得る。一部の構成では、対応して形成される支持構造の部分は、少なくとも部分的にスクリューの上部等の好適な部分の周りに形成され得る。柱状体の対向する側に配置された２つのスクリュー５ａ、５ｂを有するそのような構成を図６ａに示す。スクリュー５ａ、５ｂ、5ｃ、５ｄがより大きく、柱状体の４つの辺に配置されて、構造領域内へとさらに広がる代替的な構成を図６ｂに示す。例えば、とりわけ回転テーブルと関連する一部の構成では、スクリューは、支持構造がスクリューの周りに配置されるように構築領域の中央位置内に又は中央位置を通るように広がり得る。中央位置は回転テーブルの材料ディスペンサの回転軸と一致し得る。
【００６３】
さらなる変形例では、支持構造に必要な支持及び移動を提供するために、ラックアンドピニオン駆動の形で支持構造の１つ又は２つ以上の端部と係合するように配置される１つ以上の駆動ギア又は歯付きローラーを、説明した各把持部に代えて設けることができる。形成される支持構造を構成する層の端部領域は各ギアに対向するために端部又は壁部に対応する歯付き部又は突起部（ridged  portion）を有することが好ましい場合がある。対向する一対のローラー５ａ、５ｂを有するそのような構成を図７ａに示す。２対の対向するローラー５ａ、５ｂ、５ｃ、５ｄを有する代替的な構成を図７ｂに示す。２対の対向するローラー５ａ、５ｂ、５ｃ、５ｄは、互いに直角に配置され、５ａ、５ｂの対が５ｃ、５ｄの対の下に配置されている。図７ｃは、歯付きローラー５ａが柱状体の一方側のみに配置され、柱状体の他方側の面は平滑面５ｂに対向する構成を示す。図７ｄは、回転テーブル４の下に歯付きローラー５ａ、５ｂ、５ｃ、５ｄの対が配置された構成をさらなる代替例として示す。柱状体に沿って設けられる一連の複数組のギア又は歯付きローラーは、下側の支持構造をリリースするときに上側の支持構造が支持されたままでいられるように送り領域を構成することができる。連続して配置された２つ以上のギア若しくはローラー又は複数組のそのようなギア若しくはローラーをそのような送り機構内に設けることができる。
【００６４】
さらなる変形例では、支持構造に必要な支持及び移動を提供するために、支持構造の端部に圧力を加えるように配置された一連の弾性ローラーあるいは型押しされたローラーを設けることができる。一対の対向するローラーを有するそのような構成を図８ａに示す。このアプローチのために、２対の対向するローラーを有する代替的な構成を図８ｂに示す。２対の対向するローラーは直角に配置されるとともに、一方の対が他方の対の下に配置されている。図８ｃは、柱状体の一方側だけに弾性ローラー５ａが配置され、柱状体の他方側の面は平滑面５ｂに対向する構成を示す。再び、柱状体に沿って設けられる一連の複数組のローラーは、下側の支持構造をリリースするときに上側の支持構造が支持されたままでいられるように送り領域を構成することができる。連続して配置された２つ以上のローラー若しくは複数組のローラーをそのような送り機構内に設けることができる。
【００６５】
開示した構成において、送り機構は層を垂直に、即ち下方向のみに移動させることに限定されていない。例えば、図５のベルトから想像できるように、送り機構は、傾斜した粉末柱状体を形成する層を垂直に移動させて、層の動きに横方向の要素を与えるために傾斜させることができる。特に、そのような構成では、支持構造の端部と係合する要素、例えばベルトの表面は一方側のみに、好ましくはそのような傾斜した柱状体の下側のみに設けられ得る。傾斜した柱状体の反対側の面は結合されていない粉末だけを含むために滑らかな摺動面に対向し得る。そのような構成の例を図９ａ〜図９ｆに示す。
【００６６】
図９ａでは、歯付き把持面を有する把持部５ａ、５ｂは傾斜した柱状体の一方側のみに配置される。傾斜した柱状体の反対側の面は平滑な摺動面に対向し得る。図９ｂでは、傾斜した柱状体の傾斜していない２つの側にスクリュー５ａ、５ｂが配置されている。少なくとも傾斜した裏面と、任意で柱状体の傾斜した裏面に対向する面は平滑な摺動面に対向する。図９ｃでは、傾斜した柱状体の２つの側に歯付きギア５ａ、５ｂが配置されている。少なくとも傾斜した裏面と、任意で柱状体の傾斜した裏面に対向する面は平滑な摺動面に対向する。図９ｄでは、傾斜した柱状体の２つの傾斜した側に歯付きローラー５ａ、５ｂが配置されている。図９ｅでは、傾斜した柱状体の裏面に対向するように歯付きローラー５ａ、５ｂが配置されている。任意で、柱状体の傾斜した裏面の反対側の面は、平滑な摺動面に対向し得る。図９ｆでは、傾斜した柱状体の裏面に対向するように平滑な摺動面５ｃが配置されている。歯付きローラー５ａ、５ｂは、柱状体の傾斜した裏面と反対側の面に対向するように配置されている。様々な支持要素及び把持要素の数及び配置は限定なく変更され得る。
【００６７】
一部の構成では、複数のテーブルを設けることができる。それらの上に共通のプリントヘッド、材料ディスペンサ、平滑化ユニット等が必要に応じて可動に配置され得る。一部の変形例では、共通の平面に配置されるいくつかの構築領域が設けられ得る。例えば、構築領域を定義する複数のウエルが共通のテーブルの上面に形成され得る。各構築領域は自身の送り機構と、任意で自身のコンベアとに関連付けられ得る。そして、そのような構成は、個々に支持構造内で収容された複数のオブジェクトを連続したプロセスで同時に製造することができる。各ウエルに関連する送り機構は、簡潔性のために同様の構造を有することができる。そのような変形例を図１０ａ〜図１０ｃに示す。
【００６８】
図１０ａは、共通の固定されたテーブル４に６つの構築領域を有するロータリーテーブルへの適用を示す。６つの構築領域のそれぞれは、下向に延びるとともにテーブルの中心から外方へ半径方向に延びるラックアンドピニオン送り機構５を含み、共通のプリントヘッド、材料ディスペンサ、平滑化ユニット等はテーブルの中心を中心に回転する。各送り機構は関連するコンベア７で終了する。図示の構成では、コンベア７はリリースされた支持構造をテーブルから離れるように半径方向に移動させる。
【００６９】
図１０ｂは、３つの構築領域を有するリニアテーブ４への適用を示す。各構築領域は、下方に延びるとともに、共通のプリントヘッド、材料ディスペンサ、平滑化ユニット等が沿って移動する線から横方向に離れるように同じ方向に延びるラックアンドピニオン送り機構５を含む。各送り機構は共通のコンベア７で終了する。図示の構成では、コンベア７はリリースされた支持構造を材料ディスペンサの移動方向と平行にテーブルから離れるように移動させる。あるいは、各送り機構は別個の関連するコンベアで終了し得る。
【００７０】
図１０ｃは、３つの構築領域を有するリニアテーブ４への適用を示す。各構築領域は、下方に延びるとともに、共通のプリントヘッド、材料ディスペンサ、平滑化ユニット等が沿って移動する線から横方向に延びるラックアンドピニオン送り機構５を含む。送り機構のうちの２つは、前記線から離れる１つの方向に延びるのに対して、１つの送り機構は反対方向に延びる。各送り機構は関連するコンベア７で終了する。図示の構成では、コンベア７はリリースされた支持構造を材料ディスペンサの移動方向と平行にテーブルから離れるように移動させる。送り機構のうちの２つは共通のコンベアを共有するのに対して、他方の送り機構は別のコンベアに関連する。この変形例では、別のコンベアは共通のコンベアと同じ方向に延びる。
【００７１】
支持構造の構成も特に限定されない。図１〜図５の実施形態では、開いた上面を有するとともに例えば全ての側面及び底面が完全に閉じた立方体状の箱が使用され得る。しかしながら、代替的な構成も可能である。例えば、図１１ａは、上面と２つの対向する側壁とがメッシュで形成された立方体状の箱の形体の支持構造を示す。図１１ｂは、例えば一連の立方体状の箱支持構造Ｉ〜ＩＶを示す。Ｉは開いた上面を有し、ＩＩは開いた上面と開いた１つの側壁とを有し、ＩＩＩは開いた１つの側壁と分離可能な上面とを有し、ＩＶは開いた１つの側壁と、一対の対向する側壁を部分的に下方に延びる分離可能な上面とを有する。分離可能な部分を有する支持構造は、分離可能な部分と支持構造の残りの部分との間の結合されていない材料又は緩やかに結合された材料の小さな領域を使って形成され得る。そのため、結合されていない材料又は緩やかに結合された材料の部分で支持構造が破砕されて支持構造が開くため、収容されたオブジェクトに容易にアクセスできる。そのような結合されていない領域又は緩やかに結合された領域は、結合されていない領域に供給されるバインダの量を減らすことによって又は分離可能な部分を、多孔質領域（多孔質領域内でボンド接続部が分離可能な部分から支持構造の残りの部分に延びるがそれら自体は結合されていない材料によって分離されている）により支持構造の残りの部分に接続することによって生成され得る。この後者のアプローチは。用紙にミシン目を設けて、そのミシン目に沿って分離を容易にすることに似たものである。
【００７２】
図１１ｃは、立方体状の形体の支持構造Ｉと傾斜した平行六面体の形体の支持構造ＩＩとの比較を示す。後者の構造は、図９ａ〜図９ｅに示す傾斜した送り機構の場合にとりわけ有用であり得る。
【００７３】
さらなる可能性として、図１１ｄは内部が複数の区画ＩＩに分割された支持構造Ｉを示す。各区画ＩＩ内にオブジェクトが形成され得る。そのような構成は取扱いに対する強度が改善している。
【００７４】
最後に、図１１ｅは、環状の代替的な分割された支持構造Ｉを示す。分割すべき結合されていない領域又は緩やかに結合された領域に沿って分かれて、例えば５つ小さな容器ＩＩに分割され得る。それぞれの容器は、例えば環状の1つの区画を表す。そのような構成は、図１２に示すように、図８ｂに図示のロータリーテーブルとの関連でとりわけ有用である。
【００７５】
粉末及びバインダに関しては特定の要件は存在しない。１つの考えられる変形例では、オブジェクトの場合とは異なるバインダが支持構造を形成するため用いられる。あるいは、オブジェクトの場合とは異なる接合又は結合技術が支持構造を形成するのに用いられ得る。これにより、支持構造を一時的な又は弱い結合で、例えば可溶性ポリマーで金属粉末を結合させて製造する一方で、金属粉末内に含まれる任意の製造オブジェクトをレーザー焼結等のより強力な結合で製造することが可能になる。そのような構成は、支持構造の作成に用いる金属粉末を適切な溶剤で洗浄して粉末の結合を解消させることでリサイクルさせることができ、製造されるオブジェクトはそのような洗浄の影響を実質的に受けない。また、そのようなアプローチは、支持構造の粉末の結合を解消するとともにオブジェクトの周りの結合されていない粉末を洗い流すが製造されたオブジェクトに影響を与えない好適な溶剤を支持構造に噴射するか又は該好適な溶剤に支持構造を浸漬させることにより支持構造内に含まれるオブジェクトの容易なリリースを可能にする。
【００７６】
本技術は、限定されないが、レーザー焼結、熱焼結、液体の光重合又は構成材料及び支持材料を層状に押し出すことを含む、他の種類の３Ｄ印刷及び関連製造技術にも同等に適用可能である。当業者であれば、必要なのはプリントヘッド及び／又はディスペンサに適切な変更を加えることだけであるのが容易に分かる。
【００７７】
正方形又は長方形の構築領域であって、その上を少なくとも第１の方向に粉末ディスペンサ及びプリントヘッドが直線的に前後に移動する、正方形又は長方形の構築領域との関連で上記の開示を説明してきたが、本技術は、円形の構築領域を定義する円形状のウエルを有し、該円形状の構築領域の上を継続的に回転する放射状（radial）粉末ディスペンサ及び連続的に回転する放射状プリントヘッドが連続して通過する装置にも適用可能である。そのような構成を図７ｄに示す。実際に、そのような状況は、支持構造が製造されるオブジェクトの一部ではないため、そのような円形印刷構成の端部では低解像度で印刷するだけでよく、オブジェクトはウエルの中心に配置されて比較的高い空間解像度で印刷され得ることからよりさらに好ましい。
【００７８】
当然ながら、一方でプリントヘッド及び粉末ディスペンサの動きと、他方で構築領域とは相対的であればよく、実際には、プリントヘッド及び粉末ディスペンサは、ベースフレーム等の外部の基準フレーム（reference  frame）に対して固定される一方で、テーブル、構築領域及び送り機構が外部基準フレームに対して移動する。実際に、大半の用途では、プリントヘッド及び粉末ディスペンサを、任意の外部基準フレームに対して可動に配置する方が簡単である。
【００７９】
図１の実施形態では、連続する支持構造体が常に強固に保持されるのを確実にするために第１の把持部対と第２の把持部対との間隔が適切に調節されるため、高さが一定の箱様の支持構造が有利に用いられる。対照的に、図４のベルト型の構成では、一連の粉末柱状体内で様々な高さの箱を収容することができる。
【００８０】
一部の粉末の場合、箱は最低で１つの側壁支持部があればよい。しかしながら、粉末の閉じ込めを改善するためには、底面と、任意で上面とを有する支持構造が選択され得る。底面及び上面は、支持構造の取り扱いを容易にするために相互に平行であるのに対して、側部が構築領域の正面の寸法及び形状に概ね対応することが有利であり得る。
【００８１】
上記の開示は、開示した発明を限定しないことを意図しているため、添付の特許請求の範囲は、当業者が上記の開示を実施する上で実現可能であり得る変形、変更、置換及び同等物の全てを含むものと解釈すべきである。開示した構成の全ては限定なく組み合わされ得るとともに、開示した１つの構成からの適用可能な概念は、限定なく他の開示した構成に適用され得る。
【図１】
2017536479.tif 000003
【図２】
2017536479.tif 000004
【図３ａ】
2017536479.tif 000005
【図３ｂ】
2017536479.tif 000006
【図３ｃ】
2017536479.tif 000007
【図３ｄ】
2017536479.tif 000008
【図３ｅ】
2017536479.tif 000009
【図３ｆ】
2017536479.tif 000010
【図３ｇ】
2017536479.tif 000011
【図３ｈ】
2017536479.tif 000012
【図３ｉ】
2017536479.tif 000013
【図４ａ】
2017536479.tif 000014
【図４ｂ】
2017536479.tif 000015
【図４ｃ】
2017536479.tif 000016
【図５】
2017536479.tif 000017
【図６ａ】
2017536479.tif 000018
【図６ｂ】
2017536479.tif 000019
【図７ａ】
2017536479.tif 000020
【図７ｂ】
2017536479.tif 000021
【図７ｃ】
2017536479.tif 000022
【図７ｄ】
2017536479.tif 000023
【図８ａ】
2017536479.tif 000024
【図８ｂ】
2017536479.tif 000025
【図８ｃ】
2017536479.tif 000026
【図９ａ】
2017536479.tif 000027
【図９ｂ】
2017536479.tif 000028
【図９ｃ】
2017536479.tif 000029
【図９ｄ】
2017536479.tif 000030
【図９ｅ】
2017536479.tif 000031
【図９ｆ】
2017536479.tif 000032
【図１０ａ】
2017536479.tif 000033
【図１０ｂ】
2017536479.tif 000034
【図１０ｃ】
2017536479.tif 000035
【図１１ａ】
2017536479.tif 000036
【図１１ｂ】
2017536479.tif 000037
【図１１ｃ】
2017536479.tif 000038
【図１１ｄ】
2017536479.tif 000039
【図１１ｅ】
2017536479.tif 000040
【図１２】
2017536479.tif 000041
【国際調査報告】
2017536479.tif 000042
2017536479.tif 000043
2017536479.tif 000044